(57)【要約】【課題】細かい粒子の現像剤や液体の現像剤を用いた場合に現像剤の漏れを防止することにある。また、シール部材が静電潜像担持体の回転に伴って移動するのを規制することにある。【解決手段】カラープリンタ１の感光体ドラム２１の表面をクリーニングする際に感光体ドラム２１の側方にトナーが漏れるのを防止するシール部材２６４であって、接触部２６４ａと、移動規制部２６４ｂとを備えている。接触部２６４ａは、弾性変形可能であって、感光体ドラム２１の表面との間をトナーが通過不能なように感光体ドラム２１の表面に接触可能であり、液体が透過不能な部分である。移動規制部２６４ｂは、接触部２６４ａに接続され、接触部２６４ａの感光体ドラム２１に接触した状態からの移動を規制するための部分である。【選択図】図５
2008134580.tif 000002
【特許請求の範囲】
【請求項１】
画像形成装置の回転体の表面をクリーニングする際に前記回転体をクリーニングするクリーニング装置に配設されたクリーニング部材の側方に現像剤が漏れるのを防止する漏れ防止部材であって、
弾性変形可能であって、前記回転体の表面との間を現像剤が通過不能なように前記回転体の表面に接触可能であり、現像剤が透過不能な接触部と、
前記接触部に接続され、前記接触部の前記回転体に接触した状態からの移動を規制するための移動規制部と、
を備えた漏れ防止部材。
【請求項２】
画像形成装置の回転体の表面をクリーニングする際に前記回転体をクリーニングするクリーニング装置に配設されたクリーニング部材の側方に現像剤が漏れるのを防止する漏れ防止部材であって、
弾性変形可能であって、前記回転体の表面との間を現像剤が通過不能なように前記回転体の表面に沿って線接触可能な第１当接部を有する接触部と、
前記接触部に接続され、前記接触部の前記回転体に接触した状態からの移動を規制するための移動規制部と、
を備えた漏れ防止部材。
【請求項３】
前記接触部は、前記第１当接部のさらに前記回転体の軸方向外側に前記第１当接部に平行に設けられ、前記回転体の表面に沿って線接触可能な第２当接部を有している、請求項２に記載の漏れ防止部材。
【請求項４】
前記移動規制部は前記接触部と一体で形成されている、請求項１から３のいずれかに記載の漏れ防止部材。
【請求項５】
前記接触部の前記回転体側表面は、前記回転体と同じ曲率を備えている、請求項１から４のいずれかに記載の漏れ防止部材。
【請求項６】
前記接触部は、前記回転体の表面と接触可能な面の逆側の面に、前記回転体の軸方向と交差する方向に延びる溝が形成され、前記回転体の軸方向に弾性変形可能である、
請求項１から５のいずれかに記載の漏れ防止部材。
【請求項７】
前記移動規制部は前記クリーニング装置のフレームに係合する係合部を有している、請求項１から６のいずれかに記載の漏れ防止部材。
【請求項８】
前記フレームには挿入孔が形成されており、
前記移動規制部の係合部は前記挿入孔に係合する突起部である、
請求項７に記載の漏れ防止部材。
【請求項９】
前記挿入孔は円形状の窪みであって、
前記突起部は前記挿入孔よりも半径の小さな円柱状の部分である、
請求項８に記載の漏れ防止部材。
【請求項１０】
少なくとも前記接触部はフッ素系のコーティングを施されている、請求項１から９のいずれかに記載の漏れ防止部材。
【請求項１１】
画像形成装置の回転体の表面をクリーニングするクリーニング装置であって、
前記回転体の近傍に設けられたフレームと、
前記回転体の軸方向に沿って延び、先端が前記回転体の表面に接触するように前記フレームに配置された板状のブレード部材と、
前記ブレード部材の両側方に配置された請求項１から１０のいずれかに記載の漏れ防止部材と、
を備えたクリーニング装置。
【請求項１２】
前記漏れ防止部材は、前記ブレード部材と前記フレームとの間に弾性変形させられた状態で配置されており、前記ブレード部材及び前記フレームと面接触している、
請求項１１に記載のクリーニング装置。
【請求項１３】
前記漏れ防止部材を前記回転体側に付勢する付勢機構をさらに備えた、請求項１１または１２に記載のクリーニング装置。
【発明の詳細な説明】
【技術分野】
【０００１】
本発明は、漏れ防止部材及びクリーニング装置、特に、画像形成装置の静電潜像担持体や中間転写部材あるいは現像装置の現像ローラ等の表面から現像剤が漏れるのを防止する漏れ防止部材及びこの漏れ防止部材を備えたクリーニング装置に関する。
【背景技術】
【０００２】
複写機などの画像形成装置は、画像データに基づいて画像を形成する画像形成部と、画像形成部で形成された画像を用紙に定着させる定着部と、定着部で定着された画像を排出する排出部とを備えているものがある。この画像形成装置では、画像形成部で用紙上に画像が形成され、定着部で用紙に画像が定着される。そして、定着部で画像が定着された用紙が排出部から排出される。
【０００３】
画像形成部は、静電潜像が表面に形成される静電潜像担持体と、静電潜像担持体に現像剤を供給する現像装置と、静電潜像担持体の表面に残った現像剤をクリーニングするクリーニング装置とを備えたものがある。この画像形成部では、静電潜像担持体の表面に画像情報に基づいて静電潜像が形成され、現像装置から静電潜像担持体側に現像剤が供給される。そして、静電潜像担持体の表面に形成された画像は用紙に転写される。この後、静電潜像担持体上をクリーニング装置によってクリーニングする。
【０００４】
このような画像形成装置には現像剤を担持する現像剤担持体が複数有り、現像剤担持体から現像剤が漏れないようにシール部材を有するものがある。例えばクリーニング装置は、現像剤の像を担持可能な静電潜像担持体に接触し静電潜像担持体の表面から現像剤を掻き取るブレード部材と、ブレード部材の両端部に設けられブレード部材の両端部から現像剤が漏れるのを防止するためのシール部材とを有しているものがある。このとき、シール部材とブレード部材との位置決め精度が悪い場合には静電潜像担持体とシール部材との間から現像剤が漏れる場合がある。現像剤の漏れを防止するためにブレード部材にシール部材の位置決めのための機構を設けたものがある（特許文献１参照）。ここで、一般的にシール部材の静電潜像担持体と接触する部分は不織布によって形成されている。
【特許文献１】特開平７−５７９４号公報
【発明の開示】
【発明が解決しようとする課題】
【０００５】
従来のクリーニング装置では、現像剤の像を担持可能な静電潜像担持体に接触する部分が不織布によって形成されているために、静電潜像担持体との間に細かい隙間が生じてしまう。特に不織布の場合は、静電潜像担持体の表面に沿った形状に形成することが困難であり、シール性能が劣る。このために、細かい粒子の現像剤や液体の現像剤を用いた場合には、現像剤がこの隙間から外部に漏れる場合がある。
【０００６】
そして、上記の引用文献はブレード部材に対するシール部材の位置を精度良く管理するようにしているが、現像剤の像を担持可能な静電潜像担持体に対するシール部材の位置決めについては特に触れられていない。しかし、静電潜像担持体は通常はドラム形状であるために、この静電潜像担持体に対するシール部材の位置決めも重要である。静電潜像担持体に対するシール部材の位置がずれると、ドラム表面に対してシール部材の接触面全体が均一に当接せず、漏れが発生しやすくなるからである。また、静電潜像担持体が回転すると、シール部材が静電潜像担持体の回転に伴って回転方向に移動するおそれがあり、この場合には両者の良好な接触が維持されなくなってしまう。
【０００７】
本発明の課題は、細かい粒子の現像剤や液体の現像剤を用いた場合に現像剤の漏れを防止することにある。また、シール部材が静電潜像担持体の回転に伴って移動するのを規制することにある。
【課題を解決するための手段】
【０００８】
請求項１に係る漏れ防止部材は、画像形成装置の回転体の表面をクリーニングする際に回転体をクリーニングするクリーニング装置に配設されたクリーニング部材の側方に現像剤が漏れるのを防止する漏れ防止部材であって、接触部と、移動規制部とを備えている。接触部は、弾性変形可能であって、回転体の表面との間を現像剤が通過不能なように回転体の表面に接触可能であり、現像剤が透過不能な部分である。移動規制部は、接触部に接続され、接触部の回転体に接触した状態からの移動を規制するための部分である。
【０００９】
この漏れ防止部材では、回転体の表面をクリーニングする際に、接触部が回転体の表面との間を現像剤が通過不能なように回転体の表面に接触している
ここでは、現像剤が回転体の表面との間を通過不能であるために細かい粒子の現像剤や液体の現像剤を用いた場合であっても、回転体をクリーニングするクリーニング部材の側方から現像剤が漏れるのを防止することができる。
【００１０】
請求項２に係る漏れ防止部材は、画像形成装置の回転体の表面をクリーニングする際に回転体をクリーニングするクリーニング装置に配設されたクリーニング部材の側方に現像剤が漏れるのを防止する漏れ防止部材であって、接触部と、移動規制部とを備えている。接触部は、弾性変形可能であって、回転体の表面との間を現像剤が通過不能なように回転体の表面に沿って線接触可能な第１当接部を有する部分である。移動規制部は、接触部に接続され、接触部の回転体に接触した状態からの移動を規制するための部分である。
【００１１】
この漏れ防止部材では、回転体の表面をクリーニングする際に、接触部が回転体の表面との間を現像剤が通過不能なように回転体の表面に線接触している。
【００１２】
ここでは、第１当接部が回転体の表面に沿って線接触可能であるために、面接触の場合よりも接触面積が少なく、接触している部分から回転体に加えられる圧力が高くなる。このために、現像剤が外方に漏れにくくなっている。
【００１３】
請求項３に係る漏れ防止部材は、請求項１または２に記載の漏れ防止部材であって、接触部は、第１当接部のさらに回転体の軸方向外側に第１当接部に平行に設けられ、回転体の表面に沿って線接触可能な第２当接部を有している。
【００１４】
ここでは、第２当接部によってさらに外方に漏れにくくすることができる。また、接触部全体で接触している場合に比べて摩擦力が作用する面積が小さくなる。
【００１５】
請求項４に係る漏れ防止部材は、請求項１から３のいずれかに記載の漏れ防止部材であって、移動規制部は接触部と一体で形成されている。
【００１６】
ここでは、漏れ防止部材を製造しやすくなる。
【００１７】
請求項５に係る漏れ防止部材は、請求項１から４のいずれかに記載の漏れ防止部材であって、接触部の回転体側表面は、回転体と同じ曲率を備えている。
【００１８】
ここでは、接触部と回転体との間に隙間が生じにくくすることができる。
【００１９】
請求項６に係る漏れ防止部材は、請求項１から５のいずれかに記載の漏れ防止部材であって、接触部は、回転体の表面と接触可能な面の逆側の面に、回転体の軸方向と交差する方向に延びる溝が形成され、回転体の軸方向に弾性変形可能である。
【００２０】
ここでは、回転体の回転軸方向に弾性変形しやすくなる。
【００２１】
請求項７に係る漏れ防止部材は、請求項１から６のいずれかに記載の漏れ防止部材であって、移動規制部はクリーニング装置のフレームに係合する係合部を有している。
【００２２】
ここでは、係合部がフレームに係合することで、回転体の回転に伴って漏れ防止部材が移動するのを規制することができる。
【００２３】
請求項８に係る漏れ防止部材は、請求項７に記載の漏れ防止部材であって、フレームには挿入孔が形成されており、移動規制部の係合部は挿入孔に係合する突起部である。
【００２４】
ここでは、突起部が挿入孔に係合することで移動を規制する。ここで、挿入孔は、貫通していない凹状の孔であってもよく、貫通孔であってもよい。
【００２５】
請求項９に係る漏れ防止部材は、請求項８に記載の漏れ防止部材であって、挿入孔は円形状の窪みであって、突起部は挿入孔よりも半径の小さな円柱状の部分である。
【００２６】
ここでは、突起部が挿入孔に係合しやすくなる。
【００２７】
請求項１０に係る漏れ防止部材は、請求項１から９のいずれかに記載の漏れ防止部材であって、少なくとも接触部はフッ素系のコーティングを施されている。
【００２８】
請求項１１に係るクリーニング装置は、画像形成装置の回転体の表面をクリーニングするクリーニング装置であって、フレームと、ブレード部材と、漏れ防止部材とを備えている。フレームは、回転体の近傍に設けられている。ブレード部材は、回転体の軸方向に沿って延び、先端が回転体の表面に接触するようにフレームに配置された板状の部材である。漏れ防止部材は、ブレード部材の両側方に配置された請求項１から１０のいずれかに記載の部材である。
【００２９】
このクリーニング装置では、回転体をクリーニングする際には、ブレード部材の回転体に接触している部分によって回転体の表面の残留現像剤を掻き取る。このときブレード部材の両端から残留現像剤が回転体の延びる方向に外側に移動しようとする場合には、シール部材によって外側への移動が防止され、現像剤の漏れが防止される。
【００３０】
ここでは、液体の現像剤を用いた場合に現像剤が漏れにくくすることができる。
【００３１】
請求項１２に係るクリーニング装置は、請求項１１に記載のクリーニング装置であって、漏れ防止部材は、ブレード部材とフレームとの間に弾性変形させられた状態で配置されており、ブレード部材及びフレームと面接触している。
【００３２】
ここでは、漏れ防止部材が弾性変形を解除しようするために漏れ防止部材とクレーム及びブレード部材との間に隙間が生じにくく現像剤の漏れを防止しやすくなる。
【００３３】
請求項１３に係るクリーニング装置は、請求項１１または１２に記載のクリーニング装置であって、漏れ防止部材を回転体側に付勢する付勢機構をさらに備えている。
【００３４】
ここでは、漏れ防止部材が回転体に付勢されるために、さらに現像剤の漏れを防止しやすくなる。
【発明の効果】
【００３５】
本発明では、細かい粒子の現像剤や液体の現像剤を用いた場合に現像剤の漏れを防止することができる。また、シール部材が静電潜像担持体の回転に伴って移動するのを規制することにある。
【発明を実施するための最良の形態】
【００３６】
以下、図面に基づいて、本発明の画像処理装置の実施の一形態について説明する。なお、説明の便宜上、図面では部材の位置及び大きさ等は適宜強調して描かれている。また、以下の実施形態は、本発明の画像処理装置の一例として、プリンタを挙げて説明するが、本発明はこれに限定されるものではない。すなわち、本発明の画像処理装置は画像形成部を備えていればよく、コピー機、ファクシミリ機としての機能を有する所謂複合機（ＭＦＰ、Multi Function Peripheral）やコピー機能のみを備えたものでもよい。以下に説明するこれらの部材の具体的な構成や、その他の部材等については、適宜変更可能である。
【００３７】
１．全体構成
図１を用いて本発明の一実施形態に係る画像形成装置としてのカラープリンタ１の概略構成を説明する。図１は、カラープリンタ１の要部構成を示す正面図である。
【００３８】
カラープリンタ１は、画像データに基づいてトナー画像を形成するタンデム式の画像形成部２と、用紙を収容する用紙収納部３と、画像形成部２で形成されたトナー画像を用紙上に転写する二次転写部４と、転写されたトナー画像を用紙上に定着させる定着部５と、定着の完了した用紙を排紙する排出部６と、用紙収納部３から排出部６まで用紙を搬送する用紙搬送部７とを主に備えている。
【００３９】
画像形成部２は、中間転写ベルト２１と、中間転写ベルト２１のクリーニング部２２と、イエロー（Ｙ）、マゼンタ（Ｍ）、シアン（Ｃ）、ブラック（Ｂｋ）の各色にそれぞれ対応した画像形成ユニットＦＹ、ＦＭ、ＦＣ、及びＦＢとを備える。
【００４０】
中間転写ベルト２１は、導電性を有する使用可能な用紙搬送方向に直角な方向の長さが最大の用紙より幅広であって、無端状、すなわちループ状のベルト状部材であり、図１において矢印で示すように時計回りに循環駆動される。循環駆動において外側を向く面を以下、表面と称し、他方の面を裏面と称する。
【００４１】
画像形成ユニットＦＹ、ＦＭ、ＦＣ、及びＦＢは、中間転写ベルト２１の近傍に４つ並べて中間転写ベルト２１のクリーニング部２２と二次転写部４との間に配置される。なお、各画形成ユニットＦＹ、ＦＭ、ＦＣ、ＦＢの配置の順番はこの限りではないが、各色の混色による完成画像への影響を配慮すると、この配置が好ましい。画像形成ユニットＦＹ、ＦＭ、ＦＣ、及びＦＢは、感光体ドラム１０と、帯電器１１と、ＬＥＤ露光装置１２と、現像装置１４と、一次転写ローラ２０と、クリーニング装置２６と、除電装置１３と、キャリア液除去ローラ３０とを備える。また、画像形成ユニットのうち、最も二次転写部４に近い位置に位置する画像形成ユニットＦＢには、キャリア液除去ローラ３０が設けられていないが、その他の構成は同一である。なお、クリーニング装置２６については後に詳述する。
【００４２】
回転体の一例としての感光体ドラム１０は、円柱状の部材であって、その表面に帯電（本実施形態ではプラス極性に帯電）したトナーを含むトナー像を担持可能である。感光体ドラム１０は、図１において反時計回りに回転可能な部材である。
【００４３】
帯電器１１は、感光体ドラム１０の表面を一様に帯電させることができる機器である。
【００４４】
ＬＥＤ露光装置１２は、ＬＥＤの光源を有し、画像データに応じて、帯電した感光体ドラム１０表面を画像データに応じた光で照射し、感光体ドラム１０表面に静電潜像を形成可能である。
【００４５】
現像装置１４は、トナー及び液体のキャリア（以下キャリア液と称する場合がある）を含む現像剤を上記静電潜像に対向するように保持することで、静電潜像にトナーを付与し、静電潜像をトナー像として現像することができる。また、現像装置１４は、現像容器４０と、現像ローラ４０ａと、供給ローラ４０ｂと、汲み上げローラ４０ｃと、撹拌スパイラル４０ｄ及び４０ｅと、現像クリーニングブレード４０ｆと、並びに供給ローラドクターブレード４０ｇとを備える。
【００４６】
現像容器４０は、内部にトナー粒子と液体のキャリアからなる現像剤を貯留する。撹拌スパイラル４０ｄ、４０ｅは、現像容器４０の現像剤に全体が浸るように設けられ、現像剤を撹拌する。撹拌スパイラル４０ｄ、４０ｅの回転によってトナー粒子がキャリア液に均一に分散される。
【００４７】
汲み上げローラ４０ｃは現像容器４０の現像剤にその一部が浸るように配置され、図１において時計回りに回転可能であり現像剤をその表面に付着させて汲み上げる。この汲み上げローラ４０ｃに接するようにして図１において反時計回りに回転可能な供給ローラ４０ｂが配置され、汲み上げローラ４０ｃから現像剤の供給を受ける。供給ローラ４０ｂと汲み上げローラ４０ｃとが接する位置の回転方向下流側に、供給ローラ４０ｂの表面の現像剤の層厚を規制する供給ローラドクターブレード４０ｇが設けられる。供給ローラドクターブレード４０ｇは、供給ローラ４０ｂの表面の現像剤層厚を所定量になるように規制する。供給ローラ４０ｂと接するように図１において時計回りに回転可能な現像ローラ４０ａが配置され、その表面に供給ローラ４０ｂから現像剤が付与される。供給ローラ４０ｂの現像剤の層厚が所定値に規制されているので現像ローラ４０ａの表面に形成される現像剤の層厚も所定値に保たれる。この現像ローラ４０ａは感光体ドラム１０と接し、感光体ドラム１０の表面の静電潜像の電位と現像ローラ４０ａに印加される現像バイアスの電位差によって形成指示された画像データに応じたトナー像が感光体ドラム１０表面に形成される（現像動作）。
【００４８】
感光体ドラム１０への現像動作を終えた現像ローラ４０ａの表面の現像剤は現像クリーニングブレード４０ｆによって除去され、現像クリーニングブレード４０ｆの表面に沿って流下し図示しない流路を通って現像容器４０に貯留されている現像剤と混合される。
【００４９】
また、現像容器４０にはトナー濃度センサ４０ｈが配置され、現像容器４０内の現像剤のトナー濃度を検出する。トナー濃度が所定値より低いことが検出された場合には、図示しないトナーカートリッジからトナー（所定値よりトナー濃度が高い現像剤）が現像容器４０に供給され、トナー濃度が所定値より高い場合には図示しないキャリア液カートリッジからキャリア液が現像容器４０に供給される。
【００５０】
また、現像容器４０には現像液液面センサ４０ｉが配置され、現像容器４０内の現像剤の液面が所定値かどうかを検出する。現像剤の液面が所定値より低いことを検出した場合には、図示しない配管を経由してトナーカートリッジからトナーを、キャリア液カートリッジからキャリア液をそれぞれ現像容器４０に所定割合で供給し、液面が所定値になるように調整する。なお、現像剤調整装置を設けて、トナーとキャリア液を所定割合で混合した後、現像容器４０に供給してもよい。現像剤の液面が所定値より高いことを検出した場合には、現像容器４０に設けられた図示しない現像剤排出管から現像液を排出し図示しないリザーブタンク等に一時貯蔵する。
【００５１】
一次転写ローラ２０は、感光体ドラム１０とキャリア液除去ローラ３０との間の中間転写ベルト２１の裏面に接するように配置されている。一次転写ローラ２０には、図示しない電源から感光体ドラム１０の表面に形成されたトナー像中のトナーの帯電極性とは逆極性（本実施形態ではマイナス）の電圧を印加されるようになっている。つまり、一次転写ローラ２０は、中間転写ベルト２１と接触している位置で、中間転写ベルト２１にトナーの帯電極性と逆極性の電圧を印加する。中間転写ベルト２１は導電性を有するので、この印加電圧によって、中間転写ベルト２１の表面側及びその周辺にトナーが引き付けられる。
【００５２】
除電装置１３は光源を備え、後述するクリーニングブレード２６２による現像剤除去後、感光体ドラム１０の表面を光源からの光によって除電し、次の画像形成に備える。
【００５３】
キャリア除去ローラ３０は、感光体ドラム１０の回転軸と平行な回転軸を中心として感光体ドラム１０と同方向に回転可能な略円柱状の部材である。また、キャリア除去ローラ３０は、感光体ドラム１０と中間転写ベルト２１とが接触する位置よりも二次転写部４が配置されている側に中間転写ベルト２１とが接して配置されており、中間転写ベルト２１の表面からキャリアを除去する部材である。
【００５４】
用紙収納部３は、トナー像を定着させる用紙を収納する部分であって、カラープリンタ１の下部に配置されている。また、用紙収納部３は、用紙を収納している給紙カセットを有している。
【００５５】
二次転写部４は、中間転写ベルト２１上に形成されたトナー像を用紙に転写する部分であって、中間転写ベルト２１を支持する支持ローラと、支持ローラに対向して配置された二次転写ローラとを有している。
【００５６】
定着部５は、用紙にトナー像を定着させる部分であって、二次転写部４の上側に配置されている。また、定着部５は、加熱ローラ５１と、加熱ローラ５１に対向して配置された加圧ローラ５２とを有している。
【００５７】
排出部６は、定着部５でトナー像が定着された用紙が排出される部分であって、カラープリンタ１の上部に配置されている。
【００５８】
用紙搬送部７は用紙収納部３から二次転写部４や定着部５、排出部６に用紙を搬送する部分である。
【００５９】
２．クリーニング装置 
２．クリーニング装置 
次にクリーニング装置２６について説明する。
【００６０】
クリーニング装置２６は、図２から４に示すように、感光体ドラム１０から用紙に転写されずに残留した現像剤（トナーとキャリア液とを含む）をクリーニングするための装置であって、残留現像剤搬送スクリュー２６１と、クリーニングブレード２６２と、ケースを構成するフレーム２６３と、シール部材２６４（漏れ防止部材）と、付勢機構２６５とを備えている。また、クリーニング装置２６は、感光体ドラム１０の側方に感光体ドラム１０に近接して配置されている。ここで、図２はクリーニングブレード２６２とシール部材２６４とを示しており、図３はクリーニング装置の断面図である。
【００６１】
残留現像剤搬送スクリュー２６１は、フレーム２６３内の残留現像剤を外部に搬送するための部材であって、スクリュー状の部材である。また、残留現像剤搬送スクリュー２６１はクリーニング装置２６の下部に配置されている。
【００６２】
クリーニングブレード２６２は、板状の部材であって、感光体ドラム１０の回転軸に平行に配置され、先端が感光体ドラム１０に接触している。また、クリーニングブレード２６２は、フレーム２６３に固定されている。このクリーニングブレード２６２は、残留現像剤を感光体ドラム１０から掻き取り、フレーム２６３の内部に回収するための部材である。
【００６３】
フレーム２６３はクリーニングブレード２６２によって感光体ドラム１０から除去された現像剤を収容する部分を内部に有している。また、フレーム２６３は感光体ドラム１０の回転軸を支持している。そして、フレーム２６３には、シール部材２６４の端部の移動を規制するための円形の凹部２６３ａが設けられている。
【００６４】
シール部材２６４は、図２に示すように、クリーニングブレード２６２が延びる方向のクリーニングブレード２６２の両端、具体的には感光体ドラム１０の表面の長手方向両端近傍に配置されており、感光体ドラム１０の表面をクリーニングする際にクリーニングブレード２６２の側方から現像剤が漏れるのを防止するための部材である。また、シール部材２６４は、ウレタンゴムによって形成された樹脂成型品であって、図５及び図６に示すように、接触部２６４ａと、移動規制部２６４ｂとを備えている。さらに、シール部材２６４は弾性変形させられた状態でフレーム２６３とクリーニングブレード２６２との間に配置されている。
【００６５】
接触部２６４ａは感光体ドラム１０との間を現像剤が通過不能なように接触している。具体的には、接触部２６４ａの感光体ドラム１０側の面は、感光体ドラム１０の表面に沿うような形状であって、すなわち感光体ドラム１０の表面と同一の曲率を有しており、接触部２６４ａは感光体ドラム１０との間に隙間が形成されないように接触するクリーニングブレード２６２側の第１当接部２６４ｃ１とフレーム２６３側の第２当接部２６４ｃ２を有している（第１当接部２６４ｃ１と第２当接部２６４ｃ２を総称して単に当接部２６４ｃと呼ぶことがある）。この２本の当接部２６４ｃの先端で感光体ドラム１０と線接触状態で当接することによって、感光体ドラムとシール部材２６４の当接面積が狭いので、摩擦係数の大きいゴム等の樹脂部材をシール部材として用いたとしても、感光体ドラム１０の回転駆動に回転ムラを生じさせるというような問題の発生を防ぐことができる。また、クリーニングブレード２６２側の第１当接部２６４ｃ１の感光体ドラム１０の軸方向外側に第２当接部２６４ｃ２を設けることによって、２本の突出部２６４で感光体ドラム１０に接することになるので、現像剤（トナーとキャリア液とを含むもの）がシール部材２６４をすり抜けることを充分防げる。さらには、第１当接部２６４ｃ１の線状の先端のみで感光体ドラム１０に接するよりも、さらに第２の当接部２６４ｃ２の線状の先端で感光体ドラム１０に当接するようにすることで、シール部材２６４を安定して感光体ドラム１０に向けて後述する付勢機構２６５で付勢することができる（突出部１本の場合は線状の先端部で感光体ドラム１０に当接するため、バランスが崩れ安定して接触させにくい）。また、接触部２６４ａの感光体ドラム１０に接触する側の面（当接部２６４ｃ）とクリーニングブレード２６２に接触する側の面とフレーム２６３に接触する側の面とでＭ字になるように形成されており、２本の突出部２６４ｃの間に谷間２６４ｄが形成されている。さらに接触部２６４ａの感光体ドラム１０が配置されている側の面の逆側の面のフレーム２６３側には感光体ドラム１０の軸方向に直交する方向に延びる溝２６４ｅが形成されており、この溝２６４ｅの存在によって、感光体ドラム１０の軸方向に弾性変形しやすくなっている。そして、接触部２６４ａはその両側面がフレーム２６３とクリーニングブレード２６２とに面接触している。具体的には、溝２６４ｅの近傍の第１側面２６４ｘがフレーム２６３に接触しており、第１側面２６４ｘの逆側の側面である第２側面２６４ｙがクリーニングブレード２６２と互いに接触している。なお、接触部２６４ａは感光体ドラム１０に対向する側の面がフッ素系のコーティングを施されている。
【００６６】
移動規制部２６４ｂは、接触部２６４ａと一体で形成されており、感光体ドラム１０が延びる方向に直交する方向に延びる部分である。また、移動規制部２６４ｂは、図３及び４に示すように、接触部２６４ａが配置されている側端部の逆側端部の近傍に突起２６４ｆが形成されており、フレーム２６３の円形の凹部２６３ａに支持されている。具体的には、フレーム２６３の円形の凹部２６３ａの内径は突起２６４ｆの外径よりも大きく、この円形の凹部２６３ａに突起２６４ｆが挿入されている。このために、シール部材２６４は、所定の範囲でのみ移動可能であり、その移動が規制されている。
【００６７】
付勢機構２６５は、接触部２６４ａを感光体ドラム１０側に付勢するための機構であって、支持部２６５ａと、弾性部材２６５ｂとを備えている。支持部２６５ａは、接触部２６４ａの感光体ドラム１０が配置されている側の面の逆側の面に接触する部分であって、円弧状に形成されている。弾性部材２６５ｂは、フレーム２６３と支持部２６５ａとの間に弾性変形させられた状態で配置された圧縮コイルばねであり、支持部２６５ａを感光体ドラム１０側に付勢している。
３．動作
次に、湿式のカラープリンタ１の画像形成動作を説明する。
【００６８】
湿式のカラープリンタ１に接続されたパーソナルコンピュータ（ＰＣ）からの画像形成指示を受けたカラープリンタ１は、作成指示を受けた画像データに対応した各色のトナー像を画像形成ユニットＦＹ，ＦＭ、ＦＣ、ＦＢを用いて形成する。具体的には、感光体ドラム１０上に画像データに基づいた静電潜像が形成され、この静電潜像に現像装置１４からトナーが供給される。このようにして各画像形成部２で形成された画像は中間転写ベルト２１に転写されて、中間転写ベルト２１上で重ね合わされてカラートナー像となる。
【００６９】
このカラートナー像の形成と同期して用紙収納部３に収容されている用紙が図示しない給紙装置で用紙収納部３から一枚ずつ取り出されて、用紙搬送部７に沿って搬送される。そして、用紙は中間転写ベルト２１への一次転写とタイミングを合わせて二次転写部４に送り込まれ、二次転写部４で中間転写ベルト２１上のカラートナー像が用紙に二次転写される。カラートナー像が転写された用紙はさらに定着部５に搬送されて熱と圧力によりカラートナー像が用紙に定着される。さらに用紙は排紙部６によって湿式のカラープリンタ１の外部に排紙される。二次転写後、中間転写ベルト２１に残留したトナーは、中間転写ベルト２１のクリーニング部２２によって中間転写ベルト２１から除去される。
【００７０】
感光体ドラム１０上のトナーをクリーニングする動作について説明する。
【００７１】
画像形成動作が終了すると、感光体ドラム１０上のトナーがクリーニングされる。具体的には、クリーニングブレード２６２が感光体ドラム１０と摺接することで感光体ドラム１０上のトナーが掻き取られる。ここで、シール部材２６４がクリーニングブレード２６２の両端部に設けられている。このために、クリーニングブレード２６２で掻き取る際にクリーニングブレード２６２の側方に逃れようとしたトナーが感光体ドラム１０上に漏れるのを防止できる。
【００７２】
ここでは、特に液体の現像剤（トナーとキャリアとを含む）を用いた場合にクリーニングブレード２６２の側部からトナーが漏れるのを防止することができる。また、シール部材２６４に溝２６４ｅが形成されているために、感光体ドラム１０の軸方向に弾性変形しやすくなっている。さらに、シール部材２６４は、付勢機構２６５によって感光体ドラム１０側に付勢されているためにさらに感光体ドラム１０とシール部材２６４との間に隙間が形成されにくくなっている。さらに、移動規制部２６４ｂによって、シール部材２６４が感光体ドラム１０の回転に伴って移動するのを規制することができる。
【００７３】
３．他の実施形態
（ａ）上記実施形態では、カラープリンタ１について説明したが、本発明はこれに限られず、複写機や複合機などであっても良い。
【００７４】
（ｂ）また、上記実施形態では湿式現像剤を用いたが、本発明はこれに限られず、乾式現像剤を用いる場合において粒形の小さな現像剤を用いた場合等であっても有効である。
【００７５】
（ｃ）さらに、上記実施形態では、シール部材２６４をウレタンゴムで形成したが、本発明はこれに限られず、ポリウレタンエラストマーやフッ素ゴム、ＮＢＲ等であっても良い。
【００７６】
（ｄ）本実施例として、回転体の一例として静電潜像担持体である感光体ドラムを例示したが、現像剤を担持する部材である中間転写部材や現像ローラさらにはローラ状のキャリア液除去部材等や、現像剤で汚れる可能性の有る画像形成装置の用紙搬送部材や転写部材等に本発明を適用することが可能である。
【００７７】
（ｅ）本実施例では挿入孔を円形の凹部としたが、これに限らず、現像剤の漏れに留意する必要のない場合には貫通孔であってもよく、又形状も断面が四角形等の孔（凹部）であってもよい。
【図面の簡単な説明】
【００７８】
【図１】カラープリンタの全体断面図。
【図２】感光体ドラムとクリーニングブレード及びシール部材とを示す図。
【図３】クリーニング装置の断面図。
【図４】図３の部分拡大図。
【図５】シール部材を感光体ドラム側から見た斜視図。
【図６】図５の逆側から見たシール部材を示す図。シール部材を示す斜視図。
【符号の説明】
【００７９】
１  カラープリンタ（画像形成装置）
１０  感光体ドラム（現像剤担持体）
２６  クリーニング装置
２６２  クリーニングブレード（ブレード部材）
２６３  フレーム
２６３ａ  円形の凹部
２６４  シール部材（漏れ防止部材）
２６４ａ  接触部
２６４ｂ  移動規制部
２６４ｃ１  第１当接部
２６４ｃ２  第２当接部
２６４ｅ  溝
２６５  付勢機構
【図１】
2008134580.tif 000003
【図２】
2008134580.tif 000004
【図３】
2008134580.tif 000005
【図４】
2008134580.tif 000006
【図５】
2008134580.tif 000007
【図６】
2008134580.tif 000008